(57)【要約】      （修正有）【課題】多量のマイナスイオンを発生出来る装置を提供する。【解決手段】蓄積層１、２、３、４に多量のトルマリン鉱石を蓄積させ、室内に多量のマイナスイオンを発生させる装置とする。さらに、落差がある蓄積層に温泉湯の温泉湯が流れることにより、マイナスイオンが発生させ、自然の滝落しの快感と電気石から発生する遠赤外線と電気赤外線をも得る装置とする。さらに、ボイラー２３による床暖房装置１０から快適温度の温熱が、床からのパイプ管１１を通じてトルマリン鉱石を温め、寝る床１８に寝て居る体にマイナスイオンが身体に温熱で伝える装置とする。【選択図】図１
2005312869.tif 000002
【特許請求の範囲】
【請求項１】
電気鉱石（トルマリン鉱石・ラジウム鉱石）マイナスイオン発生鉱石類１番から４番の蓄積層に段差に組み立て蓄積層に鉱石を投入して行う。
【請求項２】
温泉湯又は、自然水を一番層の上段よりシャワー方式で流し入れ鉱石の中を温泉湯が通過して、１番から４番層に流れる装置です。
【請求項３】
１番鉱石蓄積層の底に無数の穴を開けて、温泉湯が其の穴から２番蓄積層にシャワー状態となって２番蓄積層に温泉湯が鉱石の間を通過して溜まり、２番蓄積層の底に穴を開けて落下させることにより滝落しのように見えて、３番鉱石蓄積層の鉱石の中を流れて４番の床下の周囲の鉱石の中を通過して５番の巡回ポンプ層に溜まりポンプで１番蓄積層に送られる装置です。
【請求項４】
（１例）トルマリン鉱石をこの装置に使用した場合は、マイナス電極に蓄えられた電子は、温泉湯又は（水）に触れると瞬間的に放電され、水分子は水素イオン（Ｈ＋）と水酸イオン（ＯＨ−）に電気分解される。
そしてＨプラスはトルマリン電極に引き付けられ水素ガス（Ｈ２）となり、放出される。
ＯＨマイナスは水分子（Ｈ２Ｏ）と結合して〔ヒドロキシルイオン（Ｈ３Ｏ−）〕と呼ばれる界面活性様効果を持った物質を発生し続ける。
これが〔マイナスイオン〕である。
【請求項５】
（１７）はエアーパイプに無数の穴があり其の穴から、エアーが吹き出ている装置です。
（８）の穴から温泉湯とマイナスイオンが滝のように落下し、其の後方に（１７）エアーが吹き出ているので、マイナスイオンが室内に平均化して充満できるのです。
【請求項６】
（８）は温泉湯の出口です。（１）番蓄積層から（２）（３）（４）（５）の蓄積層に矢印のように温泉湯が流れながら（６）電気鉱石の間を通過して（１５）の送水ポンプによって（７）に投入される仕組みです。巡回される事によりマイナスイオンが多く発生して室内が充満し、室内のマイナスイオンを呼吸する事により身体に入り体が活性化される装置です。
【請求項７】
床暖房装置  身体を横になりリラックスしながら長時間マイナスイオンを呼吸し、水分を飲み体の毒素を汗と一緒に出す方法です。
【請求項８】
（６）の電気石をサンドイッチ工法で（２２）（２１）の各比類の鉱石を使用する事で色々の効力が発生し身体の活性効果に結びつくのです。
（例）ラジウム岩石等を組み合わせによって（放射線使用許可が必要）（２２）に組み合わせると効力は倍増できます。
【請求項９】
（２３）のボイラーから高温の湯又は、（オイル暖房方式）（凍結防止材を混入した液）で高温にして（１０）のパイプに送り床一面が（１３）中間基礎に伝道し、（１１）のパイプ穴（無数）に（９）下の吸入口を四方に開け（１６）から高温熱が吸入され（２５）（２４）の穴から高温熱が（２２）（６）（２１）の鉱石に伝道し（１８）に快適温度で身体にマイナスイオンとなり伝わる装置です。
（１４）の断熱材料を使用すると地面に放熱を防ぎ効果的です。
【請求項１０】
温泉湯（１）（２）（３）蓄積層の中で（６）電気石と温泉湯でマイナスイオンを発生しながら、（８）を通過して（１９）Ｕ字溝の中に流れ込み、（６）電気石を通過する事で温泉湯の快適な湿度とマイナスイオンが室内に充満する装置です。
【請求項１１】
（２３）ボイラーより温熱が（１０）スチーム管を通過する事により床下が高温となって（１１）のパイプ管から温熱が鉱石に伝道する装置です。
【請求項１２】
（２６）はスチューム管の出し入れの口です。
修理又は交換の時、長尺のパイプを室内では交換修理は難儀です、この発明により長尺のまま出来る穴です。
パイプの位置に基礎のところに穴を開けて置く事により、アール半円パイプを分解して外に引き出す事が出来る簡単に交換、又は修理が出来る装置です。（普段は穴にフタ）をかぶせて保温の管理が必要です。
【発明の詳細な説明】
【発明の詳細な説明】
【温泉湯又は、真水に熱を加えて電気石からマイナスイオンを発生する装置】
【０００１】この発明は、温泉とサウナを結合させた装置です。
【背景技術】
【０００２】サウナは室内が高温と室内が狭く長時間、熱苦しく、喚起が悪く我慢をしながら汗を搾り出しているのが現状のサウナです。
【発明が解決しようとする課題】
【０００３】室内が広く、リラックス音楽により冷静になり、ネオン装置と赤外線装置等を設置、快適湿度と快適温度により（例えば湿度６０％、温度４０℃−５０℃）にセットして。温泉湯にトルマリン鉱石と温熱を加える事によりマイナスイオンが発生し、寝ながらマイナスイオンが呼吸により体内に吸収され、床下よりマイナスイオンが体に伝道し血行が良く、マイナスイオン水を飲みながら、下着を着たまま長時間男女混浴が出来、多量の快適な汗が体の毒素と一緒に排除されることにより生活習慣病が解決さる装置です。
【課題を解決するための手段】
【０００４】この発明の具体例を図面によって説明すると、（１）（２）（３）（４）の蓄積層に多量の（６）電気石が蓄積されて、温泉湯熱と電気石の特性効果が発生する装置です。
電気石（例えばトルマリン鉱石の特性）
１．永久微弱電流の発生効果
Ａ、電場形成  Ｂ、マイナスイオン発生  Ｃ、界面活性様作用
２．遠赤外線効果
４から１４ミクロンの波長、黒体と同レベル
３．ミネラルの溶出効果  Ｂホウ素  Ｍｇマグネシウム  Ｆｅ鉄
【０００５】１．床温熱装置と温泉湯のシャワーのような滝落としにより、快適な湿度が室内でマイナスイオンが発生して呼吸を介して身体に入ることで身体が活性化されるサウナ装置です。
２  床下にトルマリン鉱石、ラジウム鉱石、其の他の電気石等を多量に敷き詰めることが出来る装置です。
快適の温度（例えば４０℃から５０℃の温熱を加えることでマイナスイオンが発生します。身体に直接マイナスイオンが温位で伝わり多量のサワヤカナ汗が出ることで身体が活性化します。
３  赤外線効果（トルマリン鉱石に温泉湯の圧力がかかることで電圧が生まれ、
【圧電気ビエゾ電気】
湿度変化が生じると正面に電荷を発生します。静電気の電圧とエネルギーを発生する赤外線装置です。）
【赤外線の健康効果】
【０００６】身体から常に放出されている熱エネルギーを、いったんトルマリンが吸収しマイナスイオンと赤外線に変化して、再び身体に戻す働きをします。
疲労回復・胃腸の活性化・冷え症の緩和。
【マイナスイオンの健康効果（自然治癒力の増強】
細胞の浄化作用・血液の浄化作用・抵抗力の増加作用・自立神経の調整作用交換神経の働きの抑制・副交換神経の働きの増進・皮膚病・肌の美白効果・細胞の自然治力の増加等マイナスイオン発生装置です。
【室内装置】
リラックス音楽と赤外線ネオンと温泉滝落とし装置で寝ながら健康回復ができ楽しめるサウナ温泉装置です。
2005312869.tif 000003
【図１】
2005312869.tif 000004
【図２】
2005312869.tif 000005
【図３】
2005312869.tif 000006
【手続補正書】
【提出日】平成16年7月1日(2004.7.1)
【手続補正１】
【補正対象書類名】明細書
【補正対象項目名】全文
【補正方法】変更
【補正の内容】
【発明の詳細な説明】
【技術分野】
【０００１】
この発明は、温泉湯又は、真水に熱を加えて電気石からマイナスイオンを発生させる、温泉とサウナを結合させた装置です。
【従来の技術】
【０００２】
サウナは室内が高温と室内が狭く長時間、熱苦しく、喚起が悪く我慢をしながら汗を搾り出しているのが現状のサウナです。
【発明の開示】
【発明が解決しようとする課題】
【０００３】
室内が広く、リラックス音楽により冷静になり、ネオン装置と赤外線装置等を設置、快適湿度と快適温度により（例えば湿度６０％、温度４０°Ｃ―５０°Ｃ）にセットして。温泉湯にトルマリン鉱石と温熱を加える事によりマイナスイオンが発生し、寝ながらマイナスイオンが呼吸により体内に吸収され、床下よりマイナスイオンが体に伝道し血行が良く、マイナスイオン水を飲みながら、下着を着たまま長時間男女混浴が出来、多量の快適な汗が体の毒素と一緒に排除されることにより生活習慣病が解決される装置です。
【課題を解決するための手段】
【０００４】
この発明の具体例を図面によって説明すると、（1）（2）（3）（4）の蓄積層に多量の（6）電気石が蓄積されて、温泉湯熱と電気石の特性効果が発生する装置です。
電気石（例えばトルマリン鉱石の特性）
１．永久微弱電流の発生効果
Ａ、電場形成    Ｂ、マイナスイオン発生    Ｃ、界面活性様作用
２．遠赤外線効果
４から１４ミクロンの波長、黒体と同レベル
３．ミネラルの溶出効果    Ｂホウ素  Ｍｇマグネシウム  Ｆｅ鉄
【０００５】
１．床温熱装置と温泉湯のシャワーのような滝落しにより、快適な湿度が室内でマイナスイオンが発生して呼吸を介して身体に入ることで身体が活性化されるサウナ装置です。
２．床下にトルマリン鉱石、ラジウム鉱石、其の他の電気石等を多量に敷き詰めることが出来る装置です。
快適の温度（例えば４０°Ｃから５０°Ｃの温熱を加えることでマイナスイオンが発生します。身体に直接マイナスイオンが温位で伝わり多量のサワヤカナ汗が出ることで身体が活性化します。
３．赤外線効果（トルマリン鉱石に温熱湯の圧力がかかることで電圧が生まれ、〔圧電気ビエゾ電気〕湿度変化が生じると正面に電荷を発生します。静電気の電圧とエネルギーを発生する赤外線装置です。）
【０００６】
〔赤外線の健康効果〕
身体から常に放出されている熱エネルギーを、いったんトルマリンが吸収しマイナスイオンと赤外線に変化して、再び身体に戻す働きをします。
疲労回復・胃腸の活性化・冷え性の緩和。
〔マイナスイオンの健康効果（自然治癒力の増強〕
細胞の浄化作用・血液の浄化作用・抵抗力の増加作用・自立神経の調整作用
交換神経の働きの抑制・副交換神経の働きの増進・皮膚病・肌の美白効果・細胞の自然治力の増加等マイナスイオン発生装置です。
〔室内装置〕
リラックス音楽と赤外線ネオンと温泉滝落とし装置で寝ながら健康回復ができ楽しめるサウナ温泉装置です。
【図面の簡単な説明】
【０００７】
【図１】本発明を適用したマイナスイオン装置の横断面図である。
【図２】同マイナスイオン装置の床断面図である。
【図３】同マイナスイオン装置の床下基礎平面図である。
【符号の説明】
【０００８】
１．第１番蓄積層
２．第２番蓄積層
３．第３番蓄積層
４．第４番  周囲の温泉湯蓄積層
５．巡回送水ポンプ、湯の蓄積層
６．電気石（又は.トルマリン鉱石）
７．元温泉湯.又は水（１５からの巡回湯の投入口
８．湯の出口
９．温熱の吸い込み口
10．温熱の送湯管（スチューム管）
11. パイプ管
12. 空間
13. 中間  基礎
14. 断熱材
15. 巡回  吸入送湯ポンプ
16. 温熱  吸入口
17. Ｕ字溝
18. 寝る床（敷き物の上に寝る）
19. 温泉の湯が流れる（Ｕ字溝
20. 通路板
21. 丸い石（那智石）
22. 大きめ石（岩盤砕石）
23. ボイラー
24. パイプ管のフタ
25. パイプ管の上に穴
26. スチューム管の交換、修理の時、引き出入れ口